(57)【要約】【課題】テレビ等の電子機器において、リモコン操作で所望のリンク表示を指定したり、リンク先にアクセスしたりすることを容易にし、ユーザの利便性を向上させることが課題となっていた。【解決手段】実施形態の電子機器は、リンク表示が表示される表示画面が表示される表示部を備える。また、前記表示画面内の所定の面積範囲を指定範囲とし、前記指定範囲に該当するリンク表示は指定範囲に該当しないリンク表示とは識別可能な第１の表示で表示する指定手段を備える。また、前記指定手段の指定範囲内でフォーカスされているリンク表示は前記第１の表示とは識別可能な第２の表示で表示するフォーカス手段を備える。【選択図】  図５
2012059222.tif 000002
【特許請求の範囲】
【請求項１】
リンク表示が表示される表示画面が表示される表示部と、
前記表示画面内の所定の面積範囲を指定範囲とし、前記指定範囲に該当するリンク表示は指定範囲に該当しないリンク表示とは識別可能な第１の表示で表示し、フォーカスされているリンク表示は前記第１の表示とは異なる第２の表示で表示する指定手段を備える電子機器。
【請求項２】
前記電子機器は前記表示画面内のポインティング動作を指示するポインティングデバイスから出力される指示を受信し、前記指定手段は、前記ポインティングデバイスから出力される指示に応じて前記表示画面上を移動する請求項１に記載の電子機器。
【請求項３】
前記電子機器は前記表示画面内の方向移動を指示する方向指示手段から出力される指示を受信し、前記リンク表示のフォーカスは前記方向指示手段から出力される移動指示に応じて前記指定範囲内の前記識別可能に表示されたリンク表示間を移動する請求項１に記載の電子機器。
【請求項４】
前記指定手段の指定範囲を変更可能な指定範囲変更手段をさらに備える請求項１に記載の電子機器。
【請求項５】
前記指定手段の指定範囲を変更することによって、前記指定手段で指定されるリンク表示の大きさを変更可能に構成する請求項１に記載の電子機器。
【請求項６】
リンク表示の大きさに違いがある場合に、大きいリンク表示は前記指定手段の指定対象から除外して表示しない請求項１に記載の電子機器。
【請求項７】
リンク表示が表示される表示画面を表示部に表示するステップと、
前記表示画面内の所定の面積範囲を指定範囲とし、前記指定範囲に該当するリンク表示は指定範囲に該当しないリンク表示とは識別可能な第１の表示で表示し、フォーカスされているリンク表示は前記第１の表示とは異なる第２の表示で表示するステップを備える表示画面の表示方法。
【発明の詳細な説明】
【技術分野】
【０００１】
本発明の実施形態は、インターネットに接続可能な電子機器に関する。
【背景技術】
【０００２】
近年、環境の整備に伴い、インターネットに接続可能な電子機器が普及している。
インターネットにおいては、種々のサービスが提供されているが、例えば、表示画面であるブラウザに、このブラウザにリンクするリンク先の表示（リンク表示）が表示され、ユーザはこのリンク表示からこのリンク先にアクセスすることが可能になっている。
【０００３】
また、ブラウザには沢山のリンク表示が表示されていることが多い。
ＰＣ（パーソナルコンピュータ）はマウス、タッチパッド、トラックボール等のポインティングデバイスと、カーソルキー、マウスホイール等の方向を指示する入力機器、さらにキーボードを備えている。また、表示画面はユーザの近くに構成されることが多いことから、ユーザは沢山のリンク表示が表示されているブラウザ画面を画面の近くで確認しながら、所望のリンク表示を指定できるので、比較的容易にリンク先にアクセスすることが可能である。
【０００４】
しかし、一般に、テレビ等の電子機器においては、ユーザは、表示画面から離れた位置でテレビ番組やブラウザ画面を視聴し、その操作はリモコン（リモートコントローラ）を用いて行われる。
【０００５】
特に、表示画面から離れた位置から視聴する場合や、表示画面が小さい場合などはリモコン操作で所望のリンク表示を指定したり、リンク先にアクセスしたりすることは煩雑であり、ユーザにとっては利便性という点で問題があった。
【０００６】
このため、テレビ等の電子機器において、リモコン操作で所望のリンク表示を指定したり、リンク先にアクセスしたりすることを容易にし、ユーザの利便性を向上させた電子機器が望まれていた。
【先行技術文献】
【特許文献】
【０００７】
【特許文献１】特開平１０−３０１７１７号公報
【発明の概要】
【発明が解決しようとする課題】
【０００８】
テレビ等の電子機器において、リモコン操作で所望のリンク表示を指定したり、リンク先にアクセスしたりすることを容易にし、ユーザの利便性を向上させることが課題となっていた。
【課題を解決するための手段】
【０００９】
実施形態の電子機器は、リンク表示が表示される表示画面が表示される表示部を備える。
また、前記表示画面内の所定の面積範囲を指定範囲とし、前記指定範囲に該当するリンク表示は指定範囲に該当しないリンク表示とは識別可能な第１の表示で表示する指定手段を備える。
【００１０】
また、前記指定手段の指定範囲内でフォーカスされているリンク表示は前記第１の表示とは識別可能な第２の表示で表示するフォーカス手段を備える。
【図面の簡単な説明】
【００１１】
【図１】実施形態に係わる電子機器（テレビ）の構成を示すブロック図。
【図２】実施形態に係わる電子機器において表示される表示画面とこの表示画面に表示される指定手段の一例を示す図。
【図３】実施形態に係わる電子機器において表示される表示画面とこの表示画面に表示される指定手段の一例を示す図。
【図４】実施形態に係わる電子機器において表示される表示画面とこの表示画面に表示される指定手段の他の例を示す図。
【図５】実施形態に係わる電子機器において表示される表示画面とこの表示画面に表示される指定手段の他の例を示す図。
【図６】実施形態に係わる電子機器において指定手段を表示画面の上方向に移動した例を示す図。
【図７】実施形態に係わる電子機器において表示画面に対して指定範囲の小さい指定手段を用い、大きいリンク表示は表示されない例を示す図。
【図８】実施形態に係わる電子機器において表示画面に対してやや大きめの指定範囲の指定手段を用い、小さいリンク表示と中くらいの大きさのリンク表示を指定可能に表示した例を示す図。
【図９】実施形態に係わる電子機器において表示画面に対して指定範囲が大きい指定手段を用い、指定範囲内のリンク表示全てを指定可能にする例を示す図。
【図１０】実施形態に係わる電子機器において表示画面に対して指定手段の指定範囲は大きいが、大きいリンク表示は予め指定対象から除外し、指定範囲内の、大きいリンク表示を除外したリンク表示を指定可能にする例を示す図。
【図１１】実施形態に係わる電子機器において表示画面に対して楕円形の指定範囲を採用し、またリンク表示は指定範囲に全部が入らなくとも、重なっていれば表示する例を示す図。
【図１２】実施形態に係わる電子機器において用いられるリモコンの一例を示す図。
【図１３】実施形態に係わる電子機器の動作を説明するフローチャート。
【図１４】実施形態に係わる電子機器の指定手段の他の表示例を示す図。
【図１５】実施形態に係わる電子機器の指定手段の他の表示例を示す図。
【図１６】実施形態に係わる電子機器の指定手段の他の表示例を示す図。
【図１７】実施形態に係わる電子機器の指定手段の他の表示例を示す図。
【図１８】実施形態に係わる電子機器の指定手段の他の表示例を示す図。
【図１９】実施形態に係わる電子機器の指定手段の他の表示例を示す図。
【発明を実施するための形態】
【００１２】
以下、図面を参照し、実施の形態を説明する。
図１は、実施形態に係わる電子機器（テレビ）の構成を示すブロック図である。
符号２はアンテナ、符号３はチューナ、符号４は信号処理部、符号５は映像処理部、符号６は音声処理部、符号７は表示装置、符号８は画面（表示部）、符号９はスピーカ、符号１０はバス、符号１１は制御部、符号１２はＭＰＵ、符号１３はＲＡＭ、符号１４はＲＯＭ、符号１５はフラッシュメモリ、符号１６は記憶部、符号１７は内部記録装置、符号１８は外部インターフェース、符号２５は放送局である。
【００１３】
制御部１１はＭＰＵ（１２）を備え、電子機器１を制御する。ＲＡＭ（１３）、ＲＯＭ（１４）、フラッシュメモリ１５は、例えば制御部１１で行われる処理に利用される。
【００１４】
例えば放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００１５】
信号処理部４で受信されたデジタル信号の映像コンテンツは信号処理が施され、音声処理部６および映像処理部５に送信される。
音声処理部６は信号処理が施された映像コンテンツを受信し、音声処理を施した信号をスピーカ９に送信する。
スピーカ９は音声処理が施された信号を受信し、音声を出力する。
また、映像処理部５は信号処理が施された映像コンテンツを受信し、映像処理を施した信号を表示装置７に送信する。
表示装置７は映像処理が施された信号を受信し、ＬＣＤパネル等で構成される画面（表示部）８に映像を表示する。
また、この実施の形態においては、電子機器（ＴＶ）１は内部記憶装置１７を備え、上記受信された映像コンテンツを記録することが可能である。
また、この実施の形態においては、電子機器１は上記のようにＵＳＢ接続やＬＡＮ接続される外部記憶機器１９を備えている。上記受信された映像コンテンツはこの外部記憶機器１９に記録することも可能である。
【００１６】
また電子機器１に対するユーザの操作は、例えばリモコン（リモートコントローラ）２１等の操作機器によって指示される。
上記のように、これらの処理は、制御部１１に制御される。
また、上記のように、電子機器１は送受信部（ネットワークインターフェース）２２を介してサーバ２７に接続される。
図２は、実施形態に係わる電子機器において表示される表示画面の一例を示す図である。
ここでは、一例として、電子機器１はインターネットにアクセスし、「ＹＹＹＹサービス」というブラウザ（ウエッブページ）を、その表示装置７の表示部（画面）８に表示している。すなわち、表示画面８０にはこのウエッブページが表示されている。そして、表示画面８０には複数のリンク表示が表示されている。
【００１７】
例えば、表示画面８０の左欄に図示されている符号４０を付した「ショッピング」、符号４１を付した「オークション」、符号４２を付した「旅行、出張」、符号４３を付した「ニュース」等の文字群の表示は、それぞれの群がリンク表示である。
【００１８】
ここでは、これ等の複数の文字群の表示が、複数のリンク表示として表示されている。また、これらに続いて表示されている「天気」、「スポーツ」、「ファイナンス」、「テレビ」等もリンク表示として表示されている。
【００１９】
表示画面８０の中央から右にかけては、「トピックス」のタブが選択され、それぞれ「日銀が追加金融緩和策を決定」、「代表戦Ｏ氏とＨ氏再会談」、「神田で雑居ビル火災  女性死亡」等が、上記と同様にリンク表示として表示されている。
【００２０】
ここでは、この表示画面８０の左欄に表示されている複数のリンク表示の大きさは、大きさが小さいリンク表示あるいは中程度の大きさのリンク表示である。また、この表示画面８０の中央から右にかけては、上記に比べて大きいリンク表示が表示されている。
【００２１】
そして、この表示画面８０は「ＹＹＹＹサービス」というブラウザ（ウエッブページ）にアクセスし、この実施の形態に係る所定の面積範囲を指定範囲とする指定手段がデフォルトで表示される画面の一例を示している。
【００２２】
この面積範囲は、例えば縦方向に２００ピクセル程度、横方向には指定を所望するリンク表示の大きさよりやや大きい程度にする。例えば、指定範囲を四角形で構成すると、指定範囲の面積範囲は２００ピクセル程度×指定を所望するリンク表示の大きさよりやや大きい程度になる。
【００２３】
この実施の形態においては、指定手段は画面左上近傍のリンク表示（ここではショッピング４０）をフォーカス表示し、またその周囲の所定の面積範囲のリンク表示は指定範囲に該当するリンク表示であるため他のリンク表示とは識別して太い線で囲んで表示する。
【００２４】
ここでは、上記フォーカス表示は太い線で囲まれた表示、また上記指定範囲に該当するリンク表示は細い線で囲まれた表示で示しているが、これらの表示は色や形を異ならせる等、種々変更可能である。
【００２５】
ここでは、指定手段がデフォルトで表示される画面の一例を示しており、この表示画面８０においては、例えば、フォーカス表示４０を中心とした指定手段の指定範囲の半分の面積範囲に該当するリンク表示が表示されている。
【００２６】
そして、フォーカス表示４０されたリンク表示である「ショッピング」は、例えばユーザが後述するリモコン６０の決定入力ボタン６５等を操作することによって、この「ショッピング」にリンクするウエッブページにアクセスされる。言い換えれば、ここでは、フォーカス表示４０は決定入力ボタン６５等を操作することでリンク先にアクセスできることを示している。
【００２７】
また、他のリンク表示とは識別して細い線で囲まれて表示されたリンク表示である符号４１を付した「オークション」、符号４２を付した「旅行、出張」、符号４３を付した「ニュース」は、指定範囲に該当するリンク表示である。これらの他とは識別して表示されたリンク表示は、上記フォーカス表示４０を指定することが可能な表示である。
【００２８】
すなわち、例えばリモコン６０に設けられるカーソルキーや十字キー等の表示画面内の方向移動を指示する方向指示手段（６４ａ、６４ｂ、６４ｃ、６４ｄ、）から出力される指示に応じ、指定手段の指定範囲（ここでは指定範囲の半分）内をフォーカス表示４０が移動する。ここでは、フォーカス表示４０は、方向指示手段の指示に応じ、「ショッピング」、「オークション」、「旅行、出張」、「ニュース」のリンク表示間を移動する。
【００２９】
ユーザは、上記のように、所望のリンク表示（例えば「ショッピング」）をフォーカス表示４０し、リモコン６０の決定入力ボタン６５等を操作して、電子機器１にこの所望のリンク表示のリンクにアクセスさせる。
【００３０】
また、例えば、ユーザがリモコン６０に設けられたタッチパッド、トラックボール等のポインティングデバイス１１０を操作すると、指定手段は表示画面８０を移動可能である。
【００３１】
したがって、ユーザは、例えば、上記のようにリンク表示が表示された表示画面８０を表示させ、ポインティングデバイス１１０を操作して表示画面８０内の指定手段を所望のリンク表示が表示されている近傍まで移動させ、上記のように指定範囲に該当するリンク表示は指定範囲に該当しないリンク表示とは識別して細い線で囲んで表示させ、また、上記フォーカスされているリンク表示は太い線で囲んで異なる表示で表示させることが可能である。
【００３２】
このとき、指定手段の移動は、必ずしも所望のリンク表示をフォーカスさせる必要はなく、所望のリンク表示が表示されている近傍までで良い。
そして、上記のように、ユーザはカーソルキーや十字キー等の表示画面内の方向移動を指示する方向指示手段を用い、指定手段の指定範囲内のフォーカス表示４０を移動させ、所望のリンク表示をフォーカスさせれば良い。
【００３３】
また、フォーカス表示４０は、方向指示手段に指示され、上記識別表示されたリンク表示間を移動する。
図３は、実施形態に係わる電子機器において表示される表示画面とこの表示画面に表示される指定手段の一例を示す図である。
ここでは、ユーザがポインティングデバイス１１０を操作して、指定手段を表示画面８０内の所望のリンク表示が表示されている近傍まで移動させている。
ここでは、符号３０を付したリンク表示「Ｑｙｄα」がフォーカス表示されている。また、これを中心として符号３１を付した「スポーツ」、符号３２を付した「ファイナンス」、符号３３を付した「テレビ」、符号３４を付した「地図」、符号３５を付した「路線」、符号３６を付した「グルメ」は上記指定範囲に該当するリンク表示であり、指定範囲に該当しない他のリンク表示とは識別して細い線で囲んで表示されている。
【００３４】
すなわちここでは、「スポーツ」、「ファイナンス」、「テレビ」、「Ｑｙｄα」、「地図」、「路線」、「グルメ」が指定範囲に該当するリンク表示である。
ここでも、フォーカス表示３０は、方向指示手段に指示され、上記識別表示されたリンク表示間を移動する。
図４は、実施形態に係わる電子機器において表示される表示画面とこの表示画面に表示される指定手段の他の例を示す図である。
上記と同様に、ユーザがポインティングデバイス１１０を操作して、指定手段を表示画面８０内の所望のリンク表示が表示されている近傍まで移動させている。
この実施の形態においては、符号３０を付したリンク表示「Ｑｙｄα」がフォーカス表示されている。また、符号１００を付した指定範囲が識別可能に表示されている。
【００３５】
そして、フォーカス表示３０されたリンク表示「Ｑｙｄα」を中心として符号３１を付した「スポーツ」、符号３２を付した「ファイナンス」、符号３３を付した「テレビ」、符号３４を付した「地図」、符号３５を付した「路線」、符号３６を付した「グルメ」は上記指定範囲に該当するリンク表示であり、符号１００を付した指定範囲で囲まれるように表示され、指定範囲に該当しない他のリンク表示とは識別して細い線で囲んで表示されている。
【００３６】
すなわちここでは、「スポーツ」、「ファイナンス」、「テレビ」、「Ｑｙｄα」、「地図」、「路線」、「グルメ」が指定範囲に該当するリンク表示であることが示されている。
【００３７】
ここでは、フォーカス表示４０は、方向指示手段に指示され、上記識別表示された指定範囲内のリンク表示間を移動する。
図５は、実施形態に係わる電子機器において表示される表示画面とこの表示画面に表示される指定手段の他の例を示す図である。
上記と同様に、ユーザがポインティングデバイス１１０を操作して、指定手段を表示画面８０内の所望のリンク表示が表示されている近傍まで移動させている。また、符号３０を付したリンク表示「Ｑｙｄα」がフォーカス表示されている。
【００３８】
この実施の形態においては、上記と同様に符号１００を付した指定範囲が表示されている。
そして、フォーカス表示３０されたリンク表示「Ｑｙｄα」を中心として符号３１を付した「スポーツ」、符号３２を付した「ファイナンス」、符号３３を付した「テレビ」、符号３４を付した「地図」、符号３５を付した「路線」、符号３６を付した「グルメ」は上記指定範囲に該当するリンク表示であり、符号１００を付した指定範囲で囲まれるように表示され、指定範囲に該当しない他のリンク表示とは識別して表示されている。
【００３９】
また、上記と同様に、符号３０を付したリンク表示「Ｑｙｄα」がフォーカス表示されている。また、これを中心として符号３１を付した「スポーツ」、符号３２を付した「ファイナンス」、符号３３を付した「テレビ」、符号３４を付した「地図」、符号３５を付した「路線」、符号３６を付した「グルメ」は上記指定範囲に該当するリンク表示であり、指定範囲に該当しない他のリンク表示とは識別して細い線で囲まれて表示されている。
【００４０】
ここでは、上記と同様に、「スポーツ」、「ファイナンス」、「テレビ」、「Ｑｙｄα」、「地図」、「路線」、「グルメ」が指定範囲に該当するリンク表示であることが示されている。
【００４１】
そしてここでも、フォーカス表示３０は方向指示手段に指示され、指定範囲１００内の上記識別表示されたリンク表示間を移動可能である。
図６は、実施形態に係わる電子機器において指定手段を表示画面の上方向に移動した例を示す図である。
上記と同様に、ユーザがポインティングデバイス１１０を操作して、指定手段１００を表示画面８０内の所望のリンク表示が表示されている近傍まで移動させることが可能である。
【００４２】
ここでは、電子機器１の制御部１１は、符号４１を付した「オークション」、符号４２を付した「旅行、出張」、符号４１を付した「ニュース」、符号４０を付した「天気」、符号４４を付した「スポーツ」、符号４５を付した「ファイナンス」、符号４６を付した「テレビ」は全て指定手段１００の指定範囲内にあり、指定手段１００の指定範囲に該当するリンク表示であると判断し、指定範囲に該当しないリンク表示とは識別して線で囲まれるように表示指示する。またここでは、符号４０を付した「天気」は、上記フォーカス表示あり、太い線で囲まれるように表示指示する。
【００４３】
ここでもフォーカス表示４０は、リモコン６０の方向指示手段（６４ａ、６４ｂ、６４ｄ、６４ｄ）等に指示され、指定手段１００の指定範囲内の上記識別表示されたリンク表示間を移動可能である。
【００４４】
図７は、実施形態に係わる電子機器において表示画面に対して指定範囲の小さい指定手段を用い、大きいリンク表示は表示されない例を示す図である。
ここでは、指定範囲が小さい指定手段１００が使用されている。例えばこれらの指定範囲の大きさは、複数の種類がフラッシュメモリ１５の記憶部１６に記憶され、ユーザはリモコン６０等を操作してこれ等の情報を表示部８に表示し、適宜選択し、変更することが可能である。
【００４５】
そして、ここでは、指定範囲が小さい指定手段１００では、符号３１を付した「スポーツ」、符号３２を付した「ファイナンス」は指定範囲に該当しないため、上記識別表示は行われない。しかし、符号３２を付した「テレビ」、符号３０を付した「Ｑｙｄα」、符号３４を付した「地図」、符号３５を付した「路線」、符号３６を付した「グルメ」は上記識別表示される。また、特に、符号３０を付した「Ｑｙｄα」は上記フォーカスされており、フォーカス表示される。
【００４６】
すなわち、ここでの指定手段１００の指定範囲においては、「スポーツ」および「ファイナンス」と同じ大きさかこれらより大きいリンク表示は識別表示されない。
図８は、実施形態に係わる電子機器において表示画面に対してやや大きめの指定範囲の指定手段を用い、小さいリンク表示と中くらいの大きさのリンク表示を指定可能に表示した例を示す図である。
【００４７】
ここでは、指定範囲が小さい指定手段１００が使用されている。上記と同様に、これらの指定範囲の大きさは、複数の種類がフラッシュメモリ１５の記憶部１６に記憶され、ユーザはリモコン６０等を操作してこれ等の情報を表示部８に表示し、適宜選択し、変更することが可能である。
【００４８】
ここでの指定範囲の大きさは、上記例に比べ、やや大きめの指定範囲の指定手段１００を用いている。
そして、ここでは、この指定範囲の指定手段１００では、符号３１を付した「スポーツ」は指定範囲に該当するが、符号３２を付した「ファイナンス」は指定範囲に該当しない。このため、「ファイナンス」は上記識別表示を行わない。
【００４９】
しかし、符号３１を付した「スポーツ」、符号３２を付した「テレビ」、符号３０を付した「Ｑｙｄα」、符号３４を付した「地図」、符号３５を付した「路線」、符号３６を付した「グルメ」は上記識別表示される。また、ここでも、符号３０を付した「Ｑｙｄα」は上記フォーカスされており、フォーカス表示される。
【００５０】
すなわち、ここでの指定手段１００の指定範囲においては、「ファイナンス」と同じか「ファイナンス」より大きいリンク表示は識別表示されない。
図９は、実施形態に係わる電子機器において表示画面に対して指定範囲が大きい指定手段を用い、指定範囲内のリンク表示全てを指定可能にする例を示す図である。
ここでは、指定手段１００の指定範囲が大きく設定されている。
そして、この指定範囲内の符号４１を付した「オークション」、符号４２を付した「旅行、出張」、符号４３を付した「ニュース」、符号４０を付した「天気」、符号４４を付した「スポーツ」、符号４５を付した「ファイナンス」が他のリンク表示とは識別して細い線で囲まれて表示されている。これらは、比較的小さいあるいは、中程度のリンク表示である。
【００５１】
また、指定範囲内の符号５１を付した「日銀が追加金融緩和策を決定」、符号５２を付した「代表戦Ｏ氏とＨ氏再会談」、符号５３を付した「神田で雑居ビル火災  女性死亡」、符号５４を付した「サンマどこへ？今年は高値？」、符号５５を付した「Ｎさん  五輪選考レースで復帰へ」が他のリンク表示とは識別して細い線で囲まれて表示されている。また、符号５０を付した「中東和平  交渉前にけん制も」はフォーカス表示で太い線で囲まれて表示されている。これらは、大きいリンク表示である。
【００５２】
また、この例では、符号５６を付した「今日の話題」が上記のように識別して細い線で囲まれて表示されている。これは、中程度のリンク表示である。
また、この例では、指定手段１００の指定範囲に、上下および左右方向に他のリンク表示とは識別されたリンク表示（すなわちフォーカス表示可能なリンク表示）が表示されているため、リモコン６０等から指示された方向指示に応じ、フォーカス表示４０を上下および左右方向に移動することが可能である。
【００５３】
また、この実施の形態においては、指定手段１００の指定範囲を変更することが可能である。そして、指定手段１００の指定範囲を変更することによって、指定手段１００で指定されるリンク表示の大きさが変更可能に構成される。
【００５４】
図１０は、実施形態に係わる電子機器において表示画面に対して指定手段の指定範囲は大きいが、大きいリンク表示は予め指定対象から除外し、指定範囲内の、大きいリンク表示を除外したリンク表示を指定可能にする例を示す図である。
【００５５】
ここでは、上記と同様に、指定手段１００の指定範囲が大きく設定されているが、大きいリンク表示は予め指定対象から除外するようにし、指定範囲内の、大きいリンク表示を除外したリンク表示をするようにしている。
【００５６】
例えば、「日銀が追加金融緩和策を決定」、「代表戦Ｏ氏とＨ氏再会談」、「神田で雑居ビル火災  女性死亡」等のリンク表示は指定手段１００の指定範囲内にあるため指定対象に該当するが、これらの大きいリンク表示は予め指定対象から除外するようにしている。これらの制御は制御部１１で行うことが可能である。
【００５７】
そして、例えば、小さいリンク表示や大きいリンク表示が表示画面８０に表示される場合等、リンク表示の大きさに違いがある場合に、大きいリンク表示は前記指定手段の指定対象から除外して表示しないようにしている。
【００５８】
しかし、この例では、符号５６を付した「今日の話題」が上記のように識別して細い線で囲まれて表示されている。これは、中程度のリンク表示であり、上記大きいリンク表示は指定対象から除外しても、このように表示され、指定対象となっている。
【００５９】
図１１は、実施形態に係わる電子機器において表示画面に対して楕円形の指定範囲を採用し、またリンク表示は指定範囲に全部が入らなくとも、重なっていれば表示する例を示す図である。
【００６０】
ここでは、指定手段１００の指定範囲は楕円形に構成されている。また、ここでは、この指定範囲にリンク表示の全てが入らなくとも、この指定範囲と一部が重なっていれば指定範囲に該当すると判断し、表示する。ここでの制御も例えば、制御部１１で行われる。
【００６１】
そして、符号３１を付した「スポーツ」、符号３２を付した「ファイナンス」、符号３３を付した「テレビ」、符号３４を付した「地図」、符号３５を付した「路線」、符号３６を付した「グルメ」は他のリンク表示とは識別して細い線で囲まれて表示されている。また、符号３０を付したリンク表示「Ｑｙｄα」が太い線で囲まれてフォーカス表示されている。
【００６２】
図１２は、実施形態に係わる電子機器において用いられるリモコンの一例を示す図である。
符号６０はリモートコントローラ（リモコン）、符号６１は電源ボタン、符号６２は数字キー、符号６３はチャンネルアップダウン操作ボタン、符号６４ａは方向入力器（左）、符号６４ｂは方向入力器（右）、符号６４ｃは方向入力器（上）、符号６４ｄは方向入力器（下）、符号６５は決定入力ボタン、符号１１０はポインティングデバイスである。
【００６３】
ユーザに電源ボタン６１が操作され、電子機器１の電源ＯＮ／ＯＦＦが指示される。放送チャンネルの選局は数字キー符号６２、チャンネルアップダウン操作ボタン６３が操作され、電子機器１に指示される。
【００６４】
また、ユーザによって上記表示画面８０における指定範囲を備える指定手段の移動を指示する方向指示手段（６４ａ、６４ｂ、６４ｃ、６４ｄ、）が操作され、電子機器１がリモコン６０から出力された指示信号を受信し、上記指定手段が表示画面８０を移動する。
【００６５】
ここでの方向指示手段（６４ａ、６４ｂ、６４ｃ、６４ｄ、）は、例えばカーソルキーや十字キー等を用いるが、カーソルキーやマウスホイールを用いることも可能である。
【００６６】
ポインティングデバイス１１０は、タッチパッド、トラックボール、マウス等が好適である。なお、ポインティングデバイス１１０は、タブレット状に構成され、タブレットと表示画面の座標を対応させ、絶対座標をポイントで指定できるように構成しても良い。
【００６７】
また、符号６５は決定入力ボタン（決定キー）である。上記のように、ユーザがリモコン６０の決定入力ボタン６５を操作すると、上記フォーカス表示されたリンク表示にリンクし、所望のリンクすなわちウエッブページにアクセスする。
【００６８】
図１３は、実施形態に係わる電子機器の動作を説明するフローチャートである。
符号Ｓ１００はここでの開始ステップである。続いて符合Ｓ１０１を付したステップへ進む。
符号Ｓ１０１は、ブラウザにアクセスし、リンク表示を表示するステップである。例えば、上記「ＹＹＹＹサービス」のブラウザにアクセスし、リンク表示が表示される表示画面８０が表示される。続いて符合Ｓ１０２を付したステップへ進む。
【００６９】
符号Ｓ１０２は、画面左上に近いリンク表示に、上記のようにデフォルトで指定手段を表示するステップである。続いて符合Ｓ１０３を付したステップへ進む。
符号Ｓ１０３は、表示画面内にユーザ所望のリンク表示はあるかを判別するステップである。表示画面内にユーザ所望のリンク表示がある場合は符合Ｓ１０４を付したステップへ進む（Ｙｅｓ）。表示画面内にユーザ所望のリンク表示がない場合は符合Ｓ１０１を付したステップへ進み、上記処理を繰り返す（Ｎｏ）。
【００７０】
符号Ｓ１０４は、指定範囲内に所望のリンク表示はあるかを判別するステップである。指定範囲内に所望のリンク表示があるかと判別される場合は符合Ｓ１０５を付したステップへ進む（Ｙｅｓ）。指定範囲内に所望のリンク表示がないかと判別される場合は符合Ｓ１０７を付したステップへ進む（Ｙｅｓ）。
【００７１】
符号Ｓ１０５は、上記のようにユーザが方向指示手段を操作し、上記フォーカス表示されるリンク表示を指定範囲内で移動し、所望のリンク表示をフォーカス表示するステップである。続いて符合Ｓ１０６を付したステップへ進む。
【００７２】
符号Ｓ１０６は、ユーザが、上記フォーカス表示された所望のリンク表示を確認し、リモコン６０の決定ボタン６５を押し、この指示を受信した電子機器１はフォーカス表示されたリンク表示のページにアクセスするステップである。続いて符合Ｓ１０８を付したステップへ進む。
【００７３】
符号Ｓ１０７は、所望のリンク表示が指定範囲に入るまでユーザはポインティングデバイス１１０を操作し、表示画面内の指定手段を移動するステップである。続いて符合Ｓ１０８を付したステップへ進む。
【００７４】
符号Ｓ１０８は、終了ステップであり、ここでの処理は終了する。
また、例えば、リンク表示の近傍にポインティングカーソルが移動したとき、最も近いリンク表示がフォーカスされるように構成することも可能である。
図１４は、実施形態に係わる電子機器の指定手段の他の表示例を示す図である。
符号２００はポインタ表示、符号２０１はポインタ２００からの距離の目安となる円形状の表示、符号２０２は例えばフォーカス表示されたリンク表示を中心とした所定の指定範囲の表示である。これらは上記リンク表示の表示画面８０に表示される。
【００７５】
ここでは、リンク表示の表示画面８０にポインタ２００が表示される。ポインタ２００は、例えば上記ポインティングデバイス１１０の指示で表示画面８０を移動する。
【００７６】
また、ここでは、ポインタ２００からの距離の目安となる例えば円２０１が表示される。このポインタ２００からの距離は適宜変更可能であるが、例えば、上記識別表示を所望するリンク表示の大きさよりも大きめに設定される。
【００７７】
また、ここでは、例えば、ポインタ２００に一番近いリンク表示をフォーカス表示する。ここでは、符号３０を付した「Ｑｙｄα」である。
また、フォーカス表示されたリンク表示「Ｑｙｄα」を中心とした所定の指定範囲２０２を表示する。
そして、表示された指定範囲２０２内のリンク表示である符号３１を付した「スポーツ」、符号３２を付した「ファイナンス」、符号３３を付した「テレビ」、符号３４を付した「地図」、符号３５を付した「路線」、符号３６を付した「グルメ」を細い線で四角く囲み、他とは識別可能に表示する。
【００７８】
すなわち、表示された指定範囲２０２は、現在フォーカスが合っているリンク表示（ここでは、符号３０を付した「Ｑｙｄα」）を中心とした範囲である。言い換えれば、この指定範囲２０２が表示される際は、指定範囲２０２内のリンク表示の一つにフォーカスが合っている。
【００７９】
このフォーカス表示は例えば、制御部１１が、上記ポインタ２００から最も近いリンク表示を算出し、ポインタ２００から最も近いリンク表示にフォーカス表示を行う。
【００８０】
また、上記指定範囲２０２は、リンク表示のサイズによって変化させることも可能である。
また、上記指定範囲２０２は、例えば、ポインティングデバイス１１０に指示され、表示画面８０内を移動する。このとき、上記のようにポインタ２００から最も近いリンク表示を算出し、ポインタ２００から最も近いリンク表示に適宜フォーカス表示を行う。
【００８１】
図１５は、実施形態に係わる電子機器の指定手段の他の表示例を示す図である。
この実施の形態は、上記例と比べると、上記距離の目安の表示をしない点およびフォーカス表示されたリンク表示を中心とした所定の指定範囲を表示しない点が異なる。
【００８２】
すなわち、この実施の形態においては、上記指定手段に係るポインタ２００を表示する。しかし、ポインタ２００からの距離は計算するが、特に距離の目安の表示はしない。
【００８３】
また、ポインタ２００に一番近いリンク表示である符号３０を付した「Ｑｙｄα」をフォーカス表示する。しかし、フォーカス表示されたリンク表示（「Ｑｙｄα」）を中心とした所定の指定範囲は表示しない。
【００８４】
そして、指定範囲内のリンク表示である符号３１を付した「スポーツ」、符号３２を付した「ファイナンス」、符号３３を付した「テレビ」、符号３４を付した「地図」、符号３５を付した「路線」、符号３６を付した「グルメ」を細い線で四角く囲み、他とは識別可能に表示する。
【００８５】
図１６は、実施形態に係わる電子機器の指定手段の他の表示例を示す図である。
この実施の形態においては、ポインタ２００からの所定の距離に重なるリンク表示を他とは識別可能に表示する。
この実施の形態においては、上記指定手段に係るポインタ２００を表示する。そして、ポインタ２００から所定の距離の目安となる例えば円２０１を表示する。
また、ポインタ２００に一番近いリンク表示をフォーカス表示する。ここでは、符号３０を付した「Ｑｙｄα」である。
そして、ポインタ２００からの所定の距離に重なるリンク表示を他とは識別可能に表示する。すなわち、符号３２を付した「ファイナンス」、符号３３を付した「テレビ」、符号３４を付した「地図」、符号３５を付した「路線」、符号３６を付した「グルメ」を細い線で四角く囲み、他とは識別可能に表示する。しかし、ここでは符号３１を付した「スポーツ」はポインタ２００からの所定の距離に重ならないため、識別表示はされない。
【００８６】
図１７は、実施形態に係わる電子機器の指定手段の他の表示例を示す図である。
この実施の形態においては、ポインタ２００からの距離の目安となる表示２１１を上記例の円形ではなく楕円形で表示する。
この実施の形態においては指定手段に係るポインタ２００を表示する。そして、ポインタ２００からの所定の距離の目安の表示２１１を例えば楕円で表示する。
また、ポインタ２００に一番近いリンク表示をフォーカス表示する。ここでは、符号３０を付した「Ｑｙｄα」がフォーカス表示される。
そして、ポインタ２００からの所定の距離内に重なるリンク表示を他とは識別可能に表示する。すなわち、符号３２を付した「ファイナンス」、符号３３を付した「テレビ」、符号３４を付した「地図」、符号３５を付した「路線」、符号３６を付した「グルメ」を細い線で四角く囲み、他とは識別可能に表示する。また、ここでは符号３１を付した「スポーツ」もポインタ２００からの所定の距離の範囲に重なるので識別可能に表示する。
【００８７】
図１８は、実施形態に係わる電子機器の指定手段の他の表示例を示す図である。
この実施の形態においては、ポインタ２００からの距離の目安となる表示２１１を四角形で表示する。
この実施の形態においては上記と同様に、指定手段に係るポインタ２００を表示する。そして、ポインタ２００からの所定の距離の目安の表示２１１を例えば四角で表示する。
【００８８】
また、ポインタ２００に一番近いリンク表示をフォーカス表示する。ここでは、符号３０を付した「Ｑｙｄα」がフォーカス表示される。
そして、ポインタ２００からの所定の距離内に重なるリンク表示を他とは識別可能に表示する。すなわち、符号３１を付した「スポーツ」、符号３２を付した「ファイナンス」、符号３３を付した「テレビ」、符号３４を付した「地図」、符号３５を付した「路線」、符号３６を付した「グルメ」を細い線で四角く囲み、他とは識別可能に表示する。
【００８９】
図１９は、実施形態に係わる電子機器の指定手段の他の表示例を示す図である。
この実施の形態は、上記図１４で説明した実施の形態と、上記１６で説明した実施の形態が組み合わされた形態である。
すなわち、上記図１４で説明したポインタ２００に一番近いリンク表示（ここでは、符号３０を付した「Ｑｙｄα」）をフォーカス表示し、また、フォーカス表示されたリンク表示「Ｑｙｄα」を中心とした所定の指定範囲２０２を表示することと、ポインタ２００からの所定の距離に重なるリンク表示を他とは識別可能に表示する。
【００９０】
これにより、まず、表示された指定範囲２０２内のリンク表示である符号３１を付した「スポーツ」、符号３２を付した「ファイナンス」、符号３３を付した「テレビ」、符号３４を付した「地図」、符号３５を付した「路線」、符号３６を付した「グルメ」を細い線で四角く囲み、他とは識別可能に表示する。
【００９１】
また、符号３７を付した「今日の話題」はポインタ２００からの所定の距離に重なるため、これも細い線で四角く囲み、他とは識別可能に表示する。
また、例えば、リンクの縦幅、横幅および、面積が一定の大きさ以上のものを上記指定の対象から除外するように構成することも可能である。
また、例えば、リンクの縦幅、横幅および、面積が一定の大きさ以下のものに対して、フォーカスされたリンクを中心として移動対象の範囲を広げるように構成することも可能である。
【００９２】
この実施の形態においては、リンク表示が表示される表示画面内の所定の面積範囲を指定範囲とし、指定範囲に該当するリンク表示は指定範囲に該当しないリンク表示とは識別可能な第１の表示で表示する。また、上記フォーカスされているリンク表示は前記第１の表示とは異なる表示で表示する。
【００９３】
また、電子機器はポインティングデバイスから出力される指示に応じてリンク表示が表示される表示画面上を移動する。
また、電子機器は方向指示手段から出力される指示に応じ、指定範囲内の他のリンク表示とは識別可能に表示されたリンク表示間を移動する。
上記のように構成することによって、テレビ等の電子機器において、リモコン操作で所望のリンク表示を指定したり、リンク先にアクセスしたりすることを容易にし、ユーザの利便性を向上させることが可能になる。
【００９４】
なお、上記実施形態は、記述そのものに限定されるものではなく、実施段階では、その趣旨を逸脱しない範囲で、構成要素を種々変形して具体化することが可能である。
【符号の説明】
【００９５】
１…電子機器（ＴＶ）、２…アンテナ、３…チューナ、４…信号処理部、５…映像処理部、６…音声処理部、７…表示装置、８…画面（表示部）、９…スピーカ、１０…バス、１１…制御部、１２…ＭＰＵ、１３…ＲＡＭ、１４…ＲＯＭ、１５…フラッシュメモリ、１６…記憶部、１７…内部記録装置、１８…外部インターフェース、１９…外部記憶機器、２０…操作受信部、２１…操作機器（リモコン）、２２…送受信部（ネットワークインターフェース）、２５…放送局、２６…ネットワーク（インターネット）、２７…サーバ、３０…フォーカスされているリンク表示、３１…指定範囲に該当するリンク表示、３２…指定範囲に該当するリンク表示、３３…指定範囲に該当するリンク表示、３４…指定範囲に該当するリンク表示、３５…指定範囲に該当するリンク表示、３６…指定範囲に該当するリンク表示、４０…フォーカスされているリンク表示、４１…指定範囲に該当するリンク表示、４２…指定範囲に該当するリンク表示、４３…指定範囲に該当するリンク表示、４４…指定範囲に該当するリンク表示、４５…指定範囲に該当するリンク表示、４６…指定範囲に該当するリンク表示、５０…フォーカスされているリンク表示、５１…指定範囲に該当するリンク表示、５２…指定範囲に該当するリンク表示、５３…指定範囲に該当するリンク表示、５４…指定範囲に該当するリンク表示、５５…指定範囲に該当するリンク表示、５６…指定範囲に該当するリンク表示、６０…リモコン、６１…電源ボタン、６２…数字キー、６３…チャンネルアップダウン操作ボタン、６４ａ…方向入力器（左）、６４ｂ…方向入力器（右）、６４ｃ…方向入力器（上）、６４ｄ…方向入力器（下）、６５…決定入力ボタン（キー）、７１…指定手段の移動方向、７２…指定範囲内のリンク表示の移動方向、８０…リンク表示の表示画面、１００…指定手段、１１０…ポインティングデバイス。
【図１】
2012059222.tif 000003
【図２】
2012059222.tif 000004
【図３】
2012059222.tif 000005
【図４】
2012059222.tif 000006
【図５】
2012059222.tif 000007
【図６】
2012059222.tif 000008
【図７】
2012059222.tif 000009
【図８】
2012059222.tif 000010
【図９】
2012059222.tif 000011
【図１０】
2012059222.tif 000012
【図１１】
2012059222.tif 000013
【図１２】
2012059222.tif 000014
【図１３】
2012059222.tif 000015
【図１４】
2012059222.tif 000016
【図１５】
2012059222.tif 000017
【図１６】
2012059222.tif 000018
【図１７】
2012059222.tif 000019
【図１８】
2012059222.tif 000020
【図１９】
2012059222.tif 000021
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
リンク表示が表示される表示画面が表示される表示部と、
前記表示画面内の所定の面積範囲を指定範囲とし、前記指定範囲に該当するリンク表示は指定範囲に該当しないリンク表示とは識別可能な第１の表示で表示し、フォーカスされているリンク表示は前記第１の表示とは異なる第２の表示で表示する指定手段と、
前記表示画面内のポインティング動作を指示するポインティングデバイスおよび前記表示画面内の方向移動を指示する方向指示手段を備えたリモートコントローラから出力される指示を受信する指示受信部を備え、前記指示手段は、前記ポインティングデバイスから出力される指示に応じて前記表示画面上を移動し、前記リンク表示のフォーカスは前記方向指示手段から出力される移動指示に応じて前記指定範囲内の前記識別可能に表示されたリンク表示間を移動する電子機器。
【請求項２】
前記指定手段の指定範囲を変更可能な指定範囲変更手段をさらに備える請求項１に記載の電子機器。
【請求項３】
前記指定手段の指定範囲を変更することによって、前記指定手段で指定されるリンク表示の大きさを変更可能に構成する請求項１に記載の電子機器。
【請求項４】
リンク表示の大きさに違いがある場合に、大きいリンク表示は前記指定手段の指定対象から除外して表示しない請求項１に記載の電子機器。
【請求項５】
リンク表示が表示される表示画面を表示部に表示するステップと、
前記表示画面内の所定の面積範囲を指定範囲とし、前記指定範囲に該当するリンク表示は指定範囲に該当しないリンク表示とは識別可能な第１の表示で表示し、フォーカスされているリンク表示は前記第１の表示とは異なる第２の表示で表示する指定手段を表示するステップと、
前記表示画面内のポインティング動作を指示するポインティングデバイスおよび前記表示画面内の方向移動を指示する方向指示手段を備えたリモートコントローラから出力される指示を受信するステップを備え、前記指示手段は、前記ポインティングデバイスから出力される指示に応じて前記表示画面上を移動し、前記リンク表示のフォーカスは前記方向指示手段から出力される移動指示に応じて前記指定範囲内の前記識別可能に表示されたリンク表示間を移動する電子機器の制御方法。
【請求項６】
リンク表示が表示される表示画面が表示される表示部と、
前記表示画面内の所定の面積範囲を指定範囲とし、前記指定範囲に該当するリンク表示は指定範囲に該当しないリンク表示とは識別可能な第１の表示で表示し、フォーカスされているリンク表示は前記第１の表示とは異なる第２の表示で表示する指定手段と、
前記表示画面内のポインティング動作を指示する第１の指示部および前記表示画面内の方向移動を指示する第２の指示部を備えたリモートコントローラから出力される指示を受信する指示受信部を備え、前記指示手段は、前記第１の指示部の指示に応じて前記表示画面上を移動し、前記リンク表示のフォーカスは前記第２の指示部の指示に応じて前記指定範囲内の前記識別可能に表示されたリンク表示間を移動する電子機器。
【請求項７】
前記指定範囲を視認可能に表示する請求項１または請求項６のいずれかに記載の電子機器。
【手続補正３】
【補正対象書類名】明細書
【補正対象項目名】０００９
【補正方法】変更
【補正の内容】
【０００９】
実施形態の電子機器は、リンク表示が表示される表示画面が表示される表示部を備える。
また、前記表示画面内の所定の面積範囲を指定範囲とし、前記指定範囲に該当するリンク表示は指定範囲に該当しないリンク表示とは識別可能な第１の表示で表示する指定手段を備える。
また、前記表示画面内のポインティング動作を指示する第１の指示部および前記表示画面内の方向移動を指示する第２の指示部を備えたリモートコントローラから出力される指示を受信する指示受信部を備え、前記指示手段は、前記第１の指示部の指示に応じて前記表示画面上を移動し、前記リンク表示のフォーカスは前記第２の指示部の指示に応じて前記指定範囲内の前記識別可能に表示されたリンク表示間を移動する。
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
リンク表示が表示される表示画面が表示される表示部と、
前記表示画面内の所定の面積範囲を表示する指定範囲とし、前記指定範囲に該当するリンク表示は前記指定範囲に該当しないリンク表示とは識別可能な第１の表示で表示し、フォーカスされているリンク表示は前記第１の表示とは異なる第２の表示で表示する指定手段と、
前記表示画面内のポインティング動作を指示するポインティングデバイスおよび前記表示画面内の方向移動を指示する方向指示手段を備えたリモートコントローラから出力される指示を受信する指示受信部を備え、前記指定範囲の表示は、前記ポインティングデバイスから出力される指示に応じて前記表示画面上を移動し、前記リンク表示のフォーカスは前記方向指示手段から出力される移動指示に応じて前記指定範囲内の前記識別可能に表示されたリンク表示間を移動する電子機器。
【請求項２】
前記指定範囲を変更可能な指定範囲変更手段をさらに備える請求項１に記載の電子機器。
【請求項３】
前記指定範囲を変更することによって、前記指定範囲の表示で指定されるリンク表示の大きさを変更可能に構成する請求項１に記載の電子機器。
【請求項４】
リンク表示の大きさに違いがある場合に、大きいリンク表示は前記指定範囲の表示の指定対象から除外して表示しない請求項１に記載の電子機器。
【請求項５】
リンク表示が表示される表示画面を表示部に表示するステップと、
前記表示画面内の所定の面積範囲を表示する指定範囲とし、前記指定範囲に該当するリンク表示は指定範囲に該当しないリンク表示とは識別可能な第１の表示で表示し、フォーカスされているリンク表示は前記第１の表示とは異なる第２の表示で表示する指定範囲を表示するステップと、
前記表示画面内のポインティング動作を指示するポインティングデバイスおよび前記表示画面内の方向移動を指示する方向指示手段を備えたリモートコントローラから出力される指示を受信するステップを備え、前記指定範囲の表示は、前記ポインティングデバイスから出力される指示に応じて前記表示画面上を移動し、前記リンク表示のフォーカスは前記方向指示手段から出力される移動指示に応じて前記指定範囲内の前記識別可能に表示されたリンク表示間を移動する電子機器の制御方法。
【請求項６】
リンク表示が表示される表示画面が表示される表示部と、
前記表示画面内の所定の面積範囲を表示する指定範囲とし、前記指定範囲に該当するリンク表示は指定範囲に該当しないリンク表示とは識別可能な第１の表示で表示し、フォーカスされているリンク表示は前記第１の表示とは異なる第２の表示で表示する指定範囲の表示と、
前記表示画面内のポインティング動作を指示する第１の指示部および前記表示画面内の方向移動を指示する第２の指示部を備えたリモートコントローラから出力される指示を受信する指示受信部を備え、前記指定範囲の表示は、前記第１の指示部の指示に応じて前記表示画面上を移動し、前記リンク表示のフォーカスは前記第２の指示部の指示に応じて前記指定範囲内の前記識別可能に表示されたリンク表示間を移動する電子機器。
【手続補正２】
【補正対象書類名】明細書
【補正対象項目名】０００９
【補正方法】変更
【補正の内容】
【０００９】
実施形態の電子機器は、リンク表示が表示される表示画面が表示される表示部を備える。
また、前記表示画面内の所定の面積範囲を表示する指定範囲とし、前記指定範囲に該当するリンク表示は指定範囲に該当しないリンク表示とは識別可能な第１の表示で表示する指定手段を備える。
また、前記表示画面内のポインティング動作を指示する第１の指示部および前記表示画面内の方向移動を指示する第２の指示部を備えたリモートコントローラから出力される指示を受信する指示受信部を備え、前記指定範囲の表示は、前記第１の指示部の指示に応じて前記表示画面上を移動し、前記リンク表示のフォーカスは前記第２の指示部の指示に応じて前記指定範囲内の前記識別可能に表示されたリンク表示間を移動する。